(57)【要約】 【課題】検体に関する検査データをサーバに取り込む際の利便性を向上させる。【解決手段】検査データ取込装置７０は、通信ネットワークＮ２を介して、分析器８０から検査データを受信（取得）する。また、検査データ取込装置７０は、通信ネットワークＮ１を介して、医事会計システム１０から患者属性情報を含む来院情報を受信（取得）する。検査データ取込装置７０は、この来院情報に基づいて来院患者リストを生成し、この来院患者リストを画面に表示する。検査データ取込装置７０は、操作部からの操作信号に基づき来院患者リストの中から患者を選択する。検査データ取込装置７０は、この選択した患者の患者属性情報を識別子として検査データに付与する。そして、検査データ取込装置７０は、この検査データをＨＬ７準拠検体検査結果データとして検査データ管理サーバ６０に送信（出力）する。【選択図】図１
2010113453.tif 000002
【特許請求の範囲】
【請求項１】
患者から採取した検体に関する検査データを記憶管理する検査データ管理サーバと医事会計システムと通信可能に接続された検査データ取込装置であって、
検査データを取得する第１取得手段と、
前記医事会計システムから患者属性情報を含む来院情報を取得する第２取得手段と、
操作手段と、
前記来院情報に基づき来院患者リストを生成し、当該来院患者リストを画面に表示させ、前記操作手段からの指示に基づき前記来院患者リストの中から患者を選択し、当該選択した患者の患者属性情報を識別子として前記検査データに付与し、当該検査データを前記検査データ管理サーバに出力する制御手段と、
を備える検査データ取込装置。
【請求項２】
前記第１取得手段は、可搬型記憶媒体を読み込み、当該可搬型記憶媒体から検査データを取得する、
請求項１に記載の検査データ取込装置。
【請求項３】
前記第１取得手段は、通信可能に接続された外部機器から検査データを取得する、
請求項１に記載の検査データ取込装置。
【請求項４】
前記制御手段は、患者の来院日を指定し、前記第２取得手段により取得した来院情報から前記来院日に対応する来院情報を抽出し、当該抽出した来院情報に基づき来院患者リストを生成する、
請求項１〜３の何れか一項に記載の検査データ取込装置。
【請求項５】
前記患者属性情報は、患者ＩＤ及び／又は患者名である、
請求項１〜４の何れか一項に記載の検査データ取込装置。
【請求項６】
患者から採取した検体に関する検査データを記憶管理する検査データ管理サーバと医事会計システムと通信可能に接続されたコンピュータを、
検査データを取得する第１取得手段、
前記医事会計システムから患者属性情報を含む来院情報を取得する第２取得手段、
操作手段、
前記来院情報に基づき来院患者リストを生成し、当該来院患者リストを画面に表示させ、前記操作手段からの指示に基づき前記来院患者リストの中から患者を選択し、当該選択した患者の患者属性情報を識別子として前記検査データに付与し、当該検査データを前記検査データ管理サーバに出力する制御手段、
として機能させるためのプログラム。
【請求項７】
前記第１取得手段は、可搬型記憶媒体を読み込み、当該可搬型記憶媒体から検査データを取得する、
請求項６に記載のプログラム。
【請求項８】
前記第１取得手段は、通信可能に接続された外部機器から検査データを取得する、
請求項６に記載のプログラム。
【請求項９】
前記制御手段は、患者の来院日を指定し、前記第２取得手段により取得した来院情報から前記来院日に対応する来院情報を抽出し、当該抽出した来院情報に基づき来院患者リストを生成する、
請求項６〜８の何れか一項に記載のプログラム。
【請求項１０】
前記患者属性情報は、患者ＩＤ及び／又は患者名である、
請求項６〜９の何れか一項に記載のプログラム。
【発明の詳細な説明】
【技術分野】
【０００１】
本発明は、検査データ取込装置及びプログラムに関する。
【背景技術】
【０００２】
病理検査や臨床検査は、患者の健康状態を把握し、病名診断を行うための重要な検査である。これらの検査では、患者から採取した血液や細胞、尿、便などの検体を検査対象とする。病理検査や臨床検査では、分析器を用いて検体を分析（検査）し、検査結果を得る。検査結果としては、検体における特性の成分量や抗体反応の有無、腫瘍マーカー値等が挙げられる。この検査結果は、患者や医療従事者の主観によらない客観的なデータである。そのため、病理検査や臨床検査において、患者を識別する必要性は低い。
【０００３】
ところで、小規模な医療施設は、分析器を備えていない場合が多い。そのため、小規模な医療施設では、分析器を備えた分析センターに検体の検査を依頼する（外注する）ことが日常的に行われている。
【０００４】
しかし、医療施設で管理している患者の識別子（患者ＩＤ）と、分析センターで管理している検体の識別子（検体ＩＤ）とは、対応付けられていなかった。そのため、分析センターに検体の検査を依頼する医療施設において、所望する検体の検査結果を参照することに手間が掛かってしまった。
【０００５】
この問題を解決する装置として、複数の分析センターにおいて別々に管理されている各検体ＩＤと、医療施設において管理されている患者ＩＤとを対応付け、検体の検査結果の参照の際の橋渡しを行う検体検査結果結合サーバが開示されている（特許文献１参照）。
【特許文献１】特開２００５−２６７３７３号公報
【発明の開示】
【発明が解決しようとする課題】
【０００６】
ところで、医療施設において、分析センターからの検査結果のデータ（検査データ）を取り込む際、この検査データに対して、患者属性（患者ＩＤや患者名）等の識別子を手入力で付与する必要があり不便であった。更に、手入力により入力ミスを引き起こす可能性もあった。
【０００７】
また、検査データに対する識別子が手入力されるまで、医療施設に検査データを取り込み、この検査データを参照することができず、時間的なロスが発生してしまった。
【０００８】
特許文献１の技術では、検査データは医療施設に取り込まれず、分析センターにおいて管理されているため、上述したような検査データを取り込む場合には対応していない。
【０００９】
本発明は、上述したような課題に鑑みて為されたものであり、その目的とするところは、検体に関する検査データをサーバに取り込む際の利便性を向上させることである。
【課題を解決するための手段】
【００１０】
上記の課題を解決するために、請求項１に記載の発明は、
患者から採取した検体に関する検査データを記憶管理する検査データ管理サーバと医事会計システムと通信可能に接続された検査データ取込装置であって、
検査データを取得する第１取得手段と、
前記医事会計システムから患者属性情報を含む来院情報を取得する第２取得手段と、
操作手段と、
前記来院情報に基づき来院患者リストを生成し、当該来院患者リストを画面に表示させ、前記操作手段からの指示に基づき前記来院患者リストの中から患者を選択し、当該選択した患者の患者属性情報を識別子として前記検査データに付与し、当該検査データを前記検査データ管理サーバに出力する制御手段と、
を備える。
【００１１】
請求項２に記載の発明は、請求項１に記載の発明において、
前記第１取得手段は、可搬型記憶媒体を読み込み、当該可搬型記憶媒体から検査データを取得する。
【００１２】
請求項３に記載の発明は、請求項１に記載の発明において、
前記第１取得手段は、通信可能に接続された外部機器から検査データを取得する。
【００１３】
請求項４に記載の発明は、請求項１〜３の何れか一項に記載の発明において、
前記制御手段は、患者の来院日を指定し、前記第２取得手段により取得した来院情報から前記来院日に対応する来院情報を抽出し、当該抽出した来院情報に基づき来院患者リストを生成する。
【００１４】
請求項５に記載の発明は、請求項１〜４の何れか一項に記載の発明において、
前記患者属性情報は、患者ＩＤ及び／又は患者名である。
【００１５】
請求項６に記載のプログラムは、
患者から採取した検体に関する検査データを記憶管理する検査データ管理サーバと医事会計システムと通信可能に接続されたコンピュータを、
検査データを取得する第１取得手段、
前記医事会計システムから患者属性情報を含む来院情報を取得する第２取得手段、
操作手段、
前記来院情報に基づき来院患者リストを生成し、当該来院患者リストを画面に表示させ、前記操作手段からの指示に基づき前記来院患者リストの中から患者を選択し、当該選択した患者の患者属性情報を識別子として前記検査データに付与し、当該検査データを前記検査データ管理サーバに出力する制御手段、
として機能させる。
【００１６】
請求項７に記載の発明は、請求項６に記載の発明において、
前記第１取得手段は、可搬型記憶媒体を読み込み、当該可搬型記憶媒体から検査データを取得する。
【００１７】
請求項８に記載の発明は、請求項６に記載の発明において、
前記第１取得手段は、通信可能に接続された外部機器から検査データを取得する。
【００１８】
請求項９に記載の発明は、請求項６〜８の何れか一項に記載の発明において、
前記制御手段は、患者の来院日を指定し、前記第２取得手段により取得した来院情報から前記来院日に対応する来院情報を抽出し、当該抽出した来院情報に基づき来院患者リストを生成する。
【００１９】
請求項１０に記載の発明は、請求項６〜９の何れか一項に記載の発明において、
前記患者属性情報は、患者ＩＤ及び／又は患者名である。
【発明の効果】
【００２０】
請求項１、６に記載の発明によれば、検査データ取込装置は、検査データを取得する。また、検査データ取込装置は、医事会計システムから患者属性情報を含む来院情報を取得する。検査データ取込装置は、この来院情報に基づいて来院患者リストを生成し、この来院患者リストを画面に表示する。検査データ取込装置は、操作手段からの指示に基づき来院患者リストの中から患者を選択し、この選択した患者の患者属性情報を識別子として検査データに付与する。そして、検査データ取込装置は、この検査データを検査データ管理サーバに出力する。
【００２１】
そのため、ユーザは、識別子を手入力する必要がなく、検査データをサーバ（検査データ管理サーバ）に取り込む際の利便性を向上させることができる。また、医事会計システムにおいて管理されている患者属性情報を識別子とするため、取り込んだ検査データの管理が容易である。
【００２２】
請求項２、７に記載の発明によれば、検査データ取込装置は、可搬型記憶媒体から検査データを取得する。そのため、可搬型記憶媒体からサーバに検査データを取り込む際の利便性を向上させることができる。
【００２３】
請求項３、８に記載の発明によれば、検査データ取込装置は、通信可能に接続された外部機器から検査データを取得する。そのため、外部機器からサーバに検査データを取り込む際の利便性を向上させることができる。
【００２４】
請求項４、９に記載の発明によれば、指定した患者の来院日を元に、検査データの識別子を選択することができる。
【００２５】
請求項５、１０に記載の発明によれば、患者ＩＤ及び／又は患者名に基づいて、サーバに取り込んだ検査データを識別することができる。
【発明を実施するための最良の形態】
【００２６】
[第１の実施の形態]
以下、本発明の第１の実施の形態について説明する。
【００２７】
[診断システムのシステム構成]
図１に、診断システム１００のシステム構成を示す。
【００２８】
診断システム１００は、開業医やクリニック等の比較的小規模の医療施設に適用される。診断システム１００は、医事会計システム１０と、クライアントＰＣ２０と、電子カルテサーバ３０と、医用画像サーバ４０と、モダリティ５０と、検査データ管理サーバ６０と、検査データ取込装置７０と、から構成されている。上記の各装置及びシステムはＬＡＮ（Local Area Network）等の通信ネットワークＮ１を介してデータ通信可能に接続されている。更に、上記の各装置及びシステムは、インターネット等の通信ネットワークＮ２を介して分析センターに設置された分析器８０とデータ通信可能に接続されている。
【００２９】
モダリティ５０は、患者の診断対象部位を被写体として撮影を行い、撮影した画像をデジタル変換して医用画像を生成する画像生成装置である。医用画像は、医療の分野で読影診断に用いられる画像である。モダリティ５０は、生成した医用画像に付帯情報を付帯させ、ＤＩＣＯＭ規格に則ったＤＩＣＯＭ画像ファイルを生成する。モダリティ５０は、生成したＤＩＣＯＭ画像ファイルを医用画像サーバ４０に送信する。モダリティ５０としては、超音波診断装置（ＵＳ）やＦＰＤ（Flat Panel Detector）等が適用可能である。
【００３０】
医用画像サーバ４０は、モダリティ５０において生成されたＤＩＣＯＭ画像ファイルを記憶し、管理する（記憶管理する）。医用画像サーバ４０としてＰＡＣＳ（Picture Archiving and Communication System）等が適用可能である。
【００３１】
医用画像サーバ４０は、外部機器から医用画像取得要求を受信した場合、この取得要求に応じたＤＩＣＯＭ画像ファイルを外部機器に送信（提供）する。
【００３２】
分析器８０は、患者から採取した血液や尿等の検体を分析（検査）し、分析結果としての検査データを生成する。検査データには、一又は複数の検査項目が含まれる。例えば、検体が血液である場合、検査データには、「総蛋白」「ＧＯＴ」「ＧＰＴ」「ＬＤＨ」等の項目が含まれる。分析器８０は、生成した検査データを通信ネットワークＮ２を介して検査データ取込装置７０に送信する。分析センターでは、各医療施設からの検査依頼に応じて、これらの医療施設から持ち込まれた検体を分析器８０により分析し、分析結果である検査データを提供する。
【００３３】
検査データ取込装置７０は、後述する検査データ管理サーバ６０に検査データを取り込むための装置である。検査データ取込装置７０は、通信ネットワークＮ２を介して分析器８０から検査データを受信する。検査データ取込装置７０は、受信した検査データに対して各種処理を施し、この検査データを、ＨＬ７規格に則ったＨＬ７準拠検体検査結果データとして検査データ管理サーバ６０に送信する。この各種処理の一つとして、検査データ取込装置７０は、検査データに識別子を付与する。
【００３４】
検査データ取込装置７０は、医事会計システム１０から来院情報を受信（取得）する。検査データ取込装置７０は、取得した来院情報を記憶し、管理する（記憶管理する）。来院情報とは、患者の来院日時や保険証番号等を示す情報である。来院情報は、来院した患者の属性を示す患者属性情報を含む。検査データ取込装置７０は、来院情報に基づいて、検査データに識別子を付与する。
【００３５】
検査データ管理サーバ６０は、検査データ取込装置７０から送信（出力）されたＨＬ７準拠検体検査結果データを記憶し、管理する（記憶管理する）。検査データ管理サーバ６０は、外部機器から検査データ取得要求を受信した場合、この取得要求に応じたＨＬ７準拠検体検査結果データを外部機器に送信（提供）する。
【００３６】
図２に、検査データのデータフローを示す。まず、分析センターに設置された分析器８０において、検査データが生成される。次に、検査データは、通信ネットワークＮ２を介して検査データ取込装置７０に送信される。次に、検査データは、検査データ取込装置７０において、医事会計システム１０から送信される来院情報に基づいて識別子を付与され、ＨＬ７準拠検体検査結果データとして検査データ管理サーバ６０に送信される。そして、検査データは、ＨＬ７準拠検体検査結果データとして検査データ管理サーバ６０に記憶管理される。
【００３７】
図１に戻り、医事会計システム１０は、来院した患者の受付登録、会計計算、保険点数計算等を行うためのコンピュータ装置である。医事会計システム１０は、ユーザの操作により来院した患者の受付登録を行うと、来院情報を生成する。医事会計システム１０は、生成した来院情報を記憶し管理する（記憶管理する）。医事会計システム１０は、生成した来院情報を電子カルテサーバ３０に送信する。また、医事会計システム１０は、この来院情報を検査データ取込装置７０にも送信する。
【００３８】
医事会計システム１０は、電子カルテサーバ３０から処方データを受信（取得）する。処方データとは、診断の処置内容や患者に処方する薬等を示す情報である。処方データは、患者の属性を示す患者属性情報を含む。医事会計システム１０は、受信した処方データと生成した来院情報とに基づいて、来院した患者の会計計算や保険点数計算を行う。
【００３９】
電子カルテサーバ３０は、クライアントＰＣ２０において作成された診療録データ（患者の病状や診断結果等の情報）や処方データを記憶し、管理する（記憶管理する）。電子カルテサーバ３０は、医事会計システム１０から受信した来院情報を記憶し、管理する（記憶管理する）。電子カルテサーバ３０は、記憶管理している処方データを医事会計システム１０に送信する。
【００４０】
電子カルテサーバ３０は、外部機器から来院情報取得要求を受信した場合、この取得要求に応じた来院情報を外部機器に送信（提供）する。
【００４１】
クライアントＰＣ２０は、電子カルテサーバ３０、医用画像サーバ４０、検査データ管理サーバ６０等のクライアント端末である。クライアントＰＣ２０は、医療施設の診療室等に設置される。医師は、クライアントＰＣ２０を利用して患者の診断を行う。
【００４２】
クライアントＰＣ２０は、ユーザの操作による操作信号等に基づき、医用画像サーバ４０に医用画像取得要求を送信し、この取得要求に応じたＤＩＣＯＭ画像ファイルを取得する。クライアントＰＣ２０は、このＤＩＣＯＭ画像ファイルに格納されているデータに基づき画面に医用画像を表示する。
【００４３】
クライアントＰＣ２０は、ユーザの操作による操作信号等に基づき、検査データ管理サーバ６０に検査データ取得要求を送信し、この取得要求に応じたＨＬ７準拠検体検査結果データを取得する。クライアントＰＣ２０は、このＨＬ７準拠検体検査結果データに基づき画面に検査データを表示する。
【００４４】
クライアントＰＣ２０は、ユーザの操作による操作信号等に基づき、電子カルテサーバ３０に来院情報取得要求を送信し、この取得要求に応じた来院情報を取得する。
【００４５】
クライアントＰＣ２０は診療録データ作成機能を有する。クライアントＰＣ２０は、ユーザの操作による操作信号や、電子カルテサーバ３０から取得した来院情報等に基づき、診療録データや処方データを作成する。クライアントＰＣ２０は、作成した診療録データや処方データを電子カルテサーバ３０に送信する。電子カルテサーバ３０は、送信された診療録データや処方データを保存する。
【００４６】
[検査データ管理サーバの機能的構成]
図３に、検査データ管理サーバ６０の機能的構成を示す。
【００４７】
図３に示すように、検査データ管理サーバ６０は、制御部６１、操作部６２、表示部６３、通信部６４、記憶部６５を備えて構成され、各部はバス６６により接続されている。
【００４８】
制御部６１は、ＣＰＵ（Central Processing Unit）、ＲＡＭ（Random Access Memory）等から構成され、検査データ管理サーバ６０の各部の処理動作を統括的に制御する。具体的には、ＣＰＵは、操作部６２から入力される操作信号又は通信部６４により受信される指示信号に応じて、記憶部６５に記憶されている各種処理プログラムを読み出し、ＲＡＭ内に形成されたワークエリアに展開し、当該プログラムとの協働により各種処理を行う。
【００４９】
操作部６２は、カーソルキー、数字入力キー、及び各種機能キー等を備えたキーボードと、マウス等のポインティングデバイスを備えて構成され、キーボードに対するキー操作やマウス操作により入力された操作信号を制御部６１に出力する。
【００５０】
表示部６３は、ＬＣＤ（Liquid Crystal Display）により構成され、制御部６１から入力される表示データに基づいて各種画面を表示する。
【００５１】
通信部６４は、ＬＡＮ（Local Area Network）アダプタ、ルータ、ＴＡ（Terminal Adapter）等を備え、通信ネットワークＮ１を介して接続された検査データ取込装置７０、クライアントＰＣ２０等の外部機器との間でデータの送受信を行う。
【００５２】
記憶部６５は、ハードディスク等から構成され、制御プログラム、当該プログラムの実行に必要なパラメータやファイル等を記憶している。また、記憶部６５は、一又は複数のＨＬ７準拠検体検査結果データを記憶する。また、記憶部６５は、ＨＬ７準拠検体検査結果データを管理するデータベースプログラムを記憶する（図示せず）。
【００５３】
制御部６１は、記憶部６５に記憶されたデータベースプログラムと協働して、記憶部６５に記憶されているＨＬ７準拠検体検査結果データを管理する。
【００５４】
制御部６１は、通信部６４を介して、検査データ取込装置７０からＨＬ７準拠検体検査結果データを受信すると、このＨＬ７準拠検体検査結果データを記憶部６５に記憶させ、データベースに登録する（管理する）。
【００５５】
制御部６１は、通信部６４を介して、外部機器から検査データ取得要求を受信すると、この検査データ取得要求に応じたＨＬ７準拠検体検査結果データを記憶部６５から読み出す。そして、制御部６１は、通信部６４を介して、当該読み出したＨＬ７準拠検体検査結果データを外部機器に送信（提供）する。
【００５６】
[検査データ取込装置の機能的構成]
図４に、検査データ取込装置７０の機能的構成を示す。
【００５７】
図４に示すように、検査データ取込装置７０は、制御部７１、操作部７２、表示部７３、通信部７４、記憶部７５を備えて構成され、各部はバス７６により接続されている。
【００５８】
制御部７１は、ＣＰＵ、ＲＡＭ等から構成され、検査データ取込装置７０の各部の処理動作を統括的に制御する。具体的には、ＣＰＵは、操作部７２から入力される操作信号又は通信部７４により受信される指示信号に応じて、記憶部７５に記憶されている各種処理プログラムを読み出し、ＲＡＭ内に形成されたワークエリアに展開し、当該プログラムとの協働により各種処理を行う。
【００５９】
操作部７２は、カーソルキー、数字入力キー、及び各種機能キー等を備えたキーボードと、マウス等のポインティングデバイスを備えて構成され、キーボードに対するキー操作やマウス操作により入力された操作信号を制御部７１に出力する。
【００６０】
表示部７３は、ＬＣＤにより構成され、制御部７１から入力される表示データに基づいて各種画面を表示する。
【００６１】
通信部７４は、ＬＡＮアダプタ、ルータ、ＴＡ等を備え、通信ネットワークＮ１を介して接続された検査データ管理サーバ６０、医事会計システム１０、通信ネットワークＮ１及び通信ネットワークＮ２を介して接続された分析器８０等の外部機器との間でデータの送受信を行う。
【００６２】
記憶部７５は、ハードディスク等から構成され、制御プログラム、当該プログラムの実行に必要なパラメータやファイル等を記憶している。記憶部７５は、検査データ取込プログラム７５１を記憶している。記憶部７５は、来院情報データベース７５２を記憶している。
【００６３】
制御部７１は、検査データ取込プログラム７５１と協働して、次のように機能する。即ち、制御部７１は、通信部７４を介して、医事会計システム１０から来院情報を受信（取得）する。制御部７１は、受信した来院情報を来院情報データベース７５２に登録する（記憶部７５に記憶させ、管理する）。また、制御部７１は、通信部７４を介して、分析器８０から検査データを受信（取得）する。そして、制御部７１は、来院情報データベース７５２に登録されている来院情報に基づき来院患者リストを生成する。制御部７１は、この来院患者リストを表示部７３に表示させる。制御部７１は、操作部７２からの指示に基づき、来院患者リストの中から患者を選択する。制御部７１は、選択した患者に対応する患者属性情報を識別子として、取得した検査データに付与する。そして、制御部７１は、この検査データをＨＬ７準拠検体検査結果データとして検査データ管理サーバ６０に通信部７４を介して送信（出力）する。
【００６４】
図５に、来院情報のデータ構成を示す。
【００６５】
図５に示すように、来院情報は、患者属性情報、項目「保険証番号」「来院日時」を含む。患者属性情報は、項目「患者ＩＤ」「患者名」等を含む。
【００６６】
図６に、検査データのデータ構成と、ＨＬ７準拠検体検査結果データのデータ構成を示す。
【００６７】
図６に示すように、検査データは、検体識別情報、容器識別情報及び結果識別情報を含む。検体識別情報は、検体ＩＤ、採取方法、採取量、採取日時、受領日時等の検体に関する情報である。容器識別情報は、容器ＩＤ、容器容積、添加物、希釈率、温度等の容器に関する情報である。結果識別情報は、検査項目、検査値、単位、基準値、実施者、分析日時、装置ＩＤ等の検査結果に関する情報である。
【００６８】
ＨＬ７準拠検体検査結果データは、ヘッダ情報、患者識別情報（患者属性情報）、来院識別情報（来院情報）、検体識別情報、容器識別情報、結果識別情報及び検査識別情報を含む。患者識別情報は、患者ＩＤ、患者名、生年月日、性別等の患者に関する情報（患者属性情報）である。来院識別情報は、来院番号、来院日時、患者ＩＤ、保険証番号等の患者の来院に関する情報（来院情報）である。検査識別情報は、検査目的、検査内容、取込日時等の検査に関する情報である。
【００６９】
図４に戻り、制御部７１は、分析器８０から検査データ（検査識別情報、容器識別情報及び結果識別情報）を受信すると、この検査データにヘッダ情報、患者識別情報、来院識別情報、検査識別情報等を加えてＨＬ７準拠検体検査結果データを生成する。ここで、患者識別情報、来院識別情報、検査識別情報は空のデータ（無効値）である。
【００７０】
制御部７１は、来院患者リストの中から選択した患者に対応する患者属性情報に含まれる「患者ＩＤ」と「患者名」の値を読み出す。そして、制御部７１は、検査データに加えた患者識別情報に含まれる「患者ＩＤ」と「患者名」に対して読み出した値を付与する。この「患者ＩＤ」「患者名」のような患者属性情報は検査データの識別子である。
【００７１】
次に、制御部７１は、ＨＬ７準拠検体検査結果データを検査データ管理サーバ６０に通信部７４を介して送信する。
【００７２】
[診断システムにおける各装置の具体的な動作]
次に、診断システム１００において実行される各装置の具体的な動作について、図７を用いて説明する。
【００７３】
患者が医療施設に来院すると、医事会計システム１０は、来院した患者の受付登録を行い、来院情報を生成する。医事会計システム１０は、生成した来院情報を電子カルテサーバ３０に送信する（ステップＳ１）。また、医事会計システム１０は、生成した来院情報を検査データ取込装置７０に送信する（ステップＳ２）。
【００７４】
検査データ取込装置７０の制御部７１は、医事会計システム１０から来院情報を受信すると、この来院情報を来院情報データベース７５２に登録する（ステップＳ３）。
【００７５】
医師は、受付を行った患者に対して診療を行う。医師は、患者に対して検体検査が必要であると判断した場合、患者から検体を採取する。そして、この検体は、容器に格納されて分析センターに送られる。
【００７６】
分析センターにおいて、分析器８０は、医療施設から送られた検体を分析し、検査項目毎に結果を取得し、検査データを生成する（ステップＳ４）。例えば、検体が血液の場合、検査データの結果識別情報には、複数の検査項目「総蛋白」「ＧＯＴ」「ＧＰＴ」「ＬＤＨ」が含まれる。そして、結果識別情報には、これらの各検査項目に対応する「検査値」「単位」「基準値」「実施者」「分析日時」「装置ＩＤ」が含まれる。
【００７７】
次に、分析器８０は、生成した検査データを通信ネットワークＮ２を介して検査データ取込装置７０に送信する（ステップＳ５）。
【００７８】
検査データ取込装置７０の制御部７１は、受信した検査データに空のデータである患者識別情報等を加えて、ＨＬ７準拠検体検査結果データを生成する。制御部７１は、ＨＬ７準拠検体検査結果データに基づいて、検査データ（検査結果）を表示部７３に表示する（ステップＳ６）。
【００７９】
次に、制御部７１は、ユーザの操作による操作部７２からの操作信号に基づいて、患者の来院日を指定する。ここでは、来院日として２００８年８月１日を指定したとする。制御部７１は、来院情報データベース７５２から、指定した来院日の来院情報を抽出する。制御部７１は、抽出した来院情報に基づいて来院患者リストを生成する。制御部７１は、生成した来院患者リストを表示部７３に表示する（ステップＳ８）。
【００８０】
図８に検査結果表示画面７３１の画面例を示す。検査結果表示画面７３１とは、検査データ（検査結果）と来院患者リストを表示する画面である。
【００８１】
図８に示すように、検査結果表示画面７３１には、検査データに含まれる検体識別情報に基づいて検体管理番号（「検体ＩＤ」に対応）、検体採取日時（「採取日時」に対応）が表示される。また、検査結果表示画面７３１には、検査データに含まれる結果識別情報に基づいて検査項目「総蛋白」、「ＧＯＴ」、「ＧＰＴ」、「ＬＤＨ」に対応する「検査値」が表示される。
【００８２】
また、検査結果表示画面７３１には、来院患者リストｅ１が表示される。来院患者リストｅ１は、来院情報のリストである。来院患者リストｅ１は、「患者ＩＤ」「患者名」「来院日」等のフィールドから成る一又は複数のレコードから構成される。１レコードは、１つの来院情報に対応する。来院患者リストｅ１の各レコードは選択可能となっている。
【００８３】
また、検査結果表示画面７３１には、送信ボタンｂ１が表示される。送信ボタンｂ１は、来院患者リストｅ１において選択されたレコードに対応する来院情報の患者属性情報等をＨＬ７準拠検体検査結果データに含まれる患者識別情報等に反映し、このＨＬ７準拠検体検査結果データを検査データ管理サーバ６０に送信するためのボタンである。
【００８４】
図７に戻り、医師は、検査結果表示画面７３１に表示される来院患者リストｅ１からレコードを選択し、送信ボタンｂ１を押下する。制御部７１は、このユーザ操作による操作部７２からの操作信号に基づき、選択されたレコードに対応する来院情報を選択する。即ち、制御部７１は、この来院情報に含まれる患者属性情報に該当する患者を選択する（ステップＳ９）。
【００８５】
制御部７１は、選択した来院情報に含まれる患者属性情報の「患者ＩＤ」「患者名」の値を、ＨＬ７準拠検体検査結果データに含まれる患者識別情報の「患者ＩＤ」「患者名」の値として反映する（付与する）（ステップＳ１０）。
【００８６】
そして、制御部７１は、検査データを含んだＨＬ７準拠検体検査結果データを検査データ管理サーバ６０に送信する（ステップＳ１１）。
【００８７】
検査データ管理サーバ６０の制御部６１は、通信部６４を介して、検査データ取込装置７０からＨＬ７準拠検体検査結果データを受信すると、このＨＬ７準拠検体検査結果データを記憶部６５に記憶させ（保存し）、データベースに登録する（ステップＳ１２）。
【００８８】
医師は、クライアントＰＣ２０において、ステップＳ１０で付与された患者ＩＤや患者名に基づいてＨＬ７準拠検体検査結果データを検索する旨のユーザ操作を行う。クライアントＰＣ２０は、ステップＳ１０で付与された患者ＩＤや患者名を含む検査データ取得要求を生成し、検査データ管理サーバ６０に送信する。検査データ管理サーバ６０の制御部６１は、受信した検査データ取得要求に含まれる患者ＩＤや患者名に基づいて、取得要求に応じたＨＬ７準拠検体検査結果データを記憶部６５から読み出す。そして、制御部６１は、当該読み出したＨＬ７準拠検体検査結果データをクライアントＰＣ２０に送信する。クライアントＰＣ２０は、このＨＬ７準拠検体検査結果データを受信（取得）する。
【００８９】
クライアントＰＣ２０は、ユーザの操作による操作信号に基づいて、ＨＬ７準拠検体検査結果データに基づく検査データを画面に表示する。
【００９０】
以上、第１の実施の形態によれば、検査データ取込装置７０の制御部７１は、通信部７４を介して、分析器８０から検査データを受信（取得）する。また、制御部７１は、通信部７４を介して、医事会計システム１０から患者属性情報を含む来院情報を受信（取得）する。制御部７１は、この来院情報に基づいて来院患者リストを生成し、この来院患者リストを表示部７３に表示する（図８：検査結果表示画面７３１の来院患者リストｅ１）。制御部７１は、操作部７２からの操作信号に基づき来院患者リストの中から患者を選択する。制御部７１は、この選択した患者の患者属性情報を識別子として検査データに付与する。そして、制御部７１は、この検査データをＨＬ７準拠検体検査結果データとして検査データ管理サーバ６０に通信部７４を介して送信（出力）する。
【００９１】
このため、ユーザは、分析器８０から送信される検査データを検査データ管理サーバ６０に取り込む際、検査データの識別子の値を手入力する必要はない。よって、検査データを検査データ管理サーバ６０に取り込む際の利便性を向上させることができる。
【００９２】
また、検査データは、診断システム１００に取り込まれる。そのため、ユーザは、自システム（診断システム１００）内において、検査データ取込装置７０により付与された識別子に基づいて、所望の検査データを参照することができる。
【００９３】
また、識別子は、医事会計システム１０において予め管理されている患者属性情報であるため、検査データ管理サーバ６０に取り込んだ検査データの管理が容易である。
【００９４】
また、制御部７１は、指定した来院日の来院情報を抽出し、抽出した来院情報に基づいて来院患者リストを生成する。そのため、指定した来院日を元に、検査データの識別子を選択することができる。
【００９５】
[第２の実施の形態]
次に、本発明の第２の実施の形態について説明する。第２の実施の形態では、検査データ取込装置７０が、通信ネットワークＮ２を介して分析器８０から検査データを受信する代わりに、検査データ取込装置７０が、可搬型記憶媒体から検査データを読み込む構成となっている。ここでは主に、第１の実施の形態と異なる構成について説明する。
【００９６】
[診断システムのシステム構成]
図９に、診断システム１００のシステム構成を示す。
【００９７】
診断システム１００は、医事会計システム１０と、クライアントＰＣ２０と、電子カルテサーバ３０と、医用画像サーバ４０と、モダリティ５０と、検査データ管理サーバ６０と、検査データ取込装置７０と、から構成されている。上記の各装置及びシステムはＬＡＮ（Local Area Network）等の通信ネットワークＮ１を介してデータ通信可能に接続されている。また、分析センターには、分析器８０が設置されている。
【００９８】
分析器８０は、患者から採取した血液や尿等の検体を分析（検査）し、分析結果としての検査データを生成する。分析器８０は、生成した検査データを可搬型記憶媒体であるメディアＭに書き込む。メディアＭとして、ＣＤ−Ｒ、フロッピー（登録商標）ディスク等が適用可能である。分析センターでは、各医療施設からの検査依頼に応じて、これらの医療施設から持ち込まれた検体を分析器８０により分析し、検査データが書き込まれたメディアＭを各医療施設に提供する。
【００９９】
検査データ取込装置７０は、メディアＭから検査データを読み出す。検査データ取込装置７０は、読み出した検査データに対して各種処理を施し、この検査データをＨＬ７準拠検体検査結果データとして検査データ管理サーバ６０に送信する。この各種処理の一つとして、検査データ取込装置７０は、検査データに識別子を付与する。
【０１００】
図１０に、検査データのデータフローを示す。まず、分析センターに設置された分析器８０において、検査データが生成される。次に、分析器８０において、検査データがメディアＭに書き込まれる。このメディアＭは、医療施設の診断システム１００に移送される。そして、検査データ取込装置７０において、検査データは、メディアＭから読み出される。そして、検査データは、検査データ取込装置７０において、医事会計システム１０から送信される来院情報に基づいて識別子を付与され、ＨＬ７準拠検体検査結果データとして検査データ管理サーバ６０に送信される。そして、検査データは、ＨＬ７準拠検体検査結果データとして検査データ管理サーバ６０に記憶管理される。
【０１０１】
[検査データ取込装置の機能的構成]
図１１に、検査データ取込装置７０の機能的構成を示す。
【０１０２】
図１１に示すように、検査データ取込装置７０は、制御部７１、操作部７２、表示部７３、通信部７４、記憶部７５、メディアドライブ７７を備えて構成され、各部はバス７６により接続されている。
【０１０３】
メディアドライブ７７は、制御部７１からの制御信号に基づき、可搬型記憶媒体であるメディアＭに各種データを書き込む。また、メディアドライブ７７は、制御部７１からの制御信号に基づき、メディアＭに記憶されているデータを読み出す。
【０１０４】
制御部７１は、検査データ取込プログラム７５１と協働して、次のように機能する。即ち、制御部７１は、通信部７４を介して、医事会計システム１０から来院情報を受信（取得）する。制御部７１は、受信した来院情報を来院情報データベース７５２に登録する（記憶部７５に記憶させ、管理する）。また、制御部７１は、メディアドライブ７７を介して、メディアＭから検査データを読み出し、この検査データを取得する。そして、制御部７１は、来院情報データベース７５２に登録されている来院情報に基づき来院患者リストを生成する。制御部７１は、この来院患者リストを表示部７３に表示させる。制御部７１は、操作部７２からの指示に基づき、来院患者リストの中から患者を選択する。制御部７１は、選択した患者に対応する患者属性情報を識別子として、取得した検査データに付与する。そして、制御部７１は、この検査データをＨＬ７準拠検体検査結果データとして検査データ管理サーバ６０に通信部７４を介して送信（出力）する。尚、制御部７１が、検査データに識別子を付与する処理については、第１の実施の形態に記載の処理と同様である。
【０１０５】
以上、第２の実施の形態によれば、検査データ取込装置７０の制御部７１は、メディアドライブ７７を介して、メディアＭから検査データを取得する。また、制御部７１は、通信部７４を介して、医事会計システム１０から患者属性情報を含む来院情報を受信（取得）する。制御部７１は、この来院情報に基づいて来院患者リストを生成し、この来院患者リストを表示部７３に表示する（図８：検査結果表示画面７３１の来院患者リストｅ１）。制御部７１は、操作部７２からの操作信号に基づき来院患者リストの中から患者を選択する。制御部７１は、この選択した患者の患者属性情報を識別子として検査データに付与する。そして、制御部７１は、この検査データをＨＬ７準拠検体検査結果データとして検査データ管理サーバ６０に通信部７４を介して送信（出力）する。
【０１０６】
このため、ユーザは、メディアＭに記憶されている検査データを検査データ管理サーバ６０に取り込む際、検査データの識別子の値を手入力する必要がない。よって、検査データを検査データ管理サーバ６０に取り込む際の利便性を向上させることができる。
【０１０７】
尚、第１、第２の実施の形態における記述は、本発明に係る検査データ取込装置の一例であり、これに限定されるものではない。システム及び各装置の細部構成及び細部動作に関しても適宜変更可能である。
【０１０８】
また、本実施の形態では、プログラムを格納したコンピュータ読み取り可能な媒体として可搬型記憶媒体やハードディスクを使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１０９】
【図１】本発明の第１の実施の形態における診断システムのシステム構成図である。
【図２】本発明の第１の実施の形態における検査データのデータフローを示す図である。
【図３】検査データ管理サーバのブロック図である。
【図４】本発明の第１の実施の形態における検査データ取込装置のブロック図である。
【図５】来院情報のデータ構成図である。
【図６】検査データ及びＨＬ７準拠検体検査結果データのデータ構成図である。
【図７】診断システムにおいて実行される処理を示すラダーチャートである。
【図８】検査結果表示画面の画面例である。
【図９】本発明の第２の実施の形態における診断システムのシステム構成図である。
【図１０】本発明の第２の実施の形態における検査データのデータフローを示す図である。
【図１１】本発明の第２の実施の形態における検査データ取込装置のブロック図である。
【符号の説明】
【０１１０】
１０      医事会計システム
２０      クライアントＰＣ
３０      電子カルテサーバ
４０      医用画像サーバ
５０      モダリティ
６０      検査データ管理サーバ
６１      制御部
６２      操作部
６３      表示部
６４      通信部
６５      記憶部
６６      バス
７０      検査データ取込装置
７１      制御部
７２      操作部
７３      表示部
７４      通信部
７５      記憶部
７６      バス
７７      メディアドライブ
８０      分析器
１００    診断システム
７３１    検査結果表示画面
７５１    検査データ取込プログラム
７５２    来院情報データベース
Ｍ        メディア
Ｎ１      通信ネットワーク
Ｎ２      通信ネットワーク
【図１】
2010113453.tif 000003
【図２】
2010113453.tif 000004
【図３】
2010113453.tif 000005
【図４】
2010113453.tif 000006
【図５】
2010113453.tif 000007
【図６】
2010113453.tif 000008
【図７】
2010113453.tif 000009
【図８】
2010113453.tif 000010
【図９】
2010113453.tif 000011
【図１０】
2010113453.tif 000012
【図１１】
2010113453.tif 000013